(57)【要約】【課題】クロスコネクト設定の変更が必要な場合にのみ、主信号帯域を用いて制御信号を送受信することで、上記問題点を解決する無線伝送装置を提供すること。【解決手段】複数のＰＤＨ信号列を任意の無線チャネルにクロスコネクト接続後に、１つの無線フレームに多重して無線伝送路から１対１で対向局へ送出し、対向局で再度ＮチャネルのＰＤＨ信号列に分離し、任意の出力チャネルにクロスコネクト接続後に出力する無線伝送装置が、無線伝送路にクロスコネクト制御に関わる制御信号の伝送帯域を予め確保することなく、設定変更が必要な場合のみ主信号伝送帯域を用いて制御信号を送受信する。【選択図】図１
2008141494.tif 000002
【特許請求の範囲】
【請求項１】
対向するクロスコネクト装置間における伝送路の更新において、対向局のクロスコネクト制御が必要な場合、主信号路により制御情報を当該局に送付し、制御対象伝送路のＡＩＳ処理回路にＡＩＳ制御信号を出力することを特徴とするクロスコネクト装置。
【請求項２】
複数のＰＤＨ信号列を任意の無線チャネルにクロスコネクト接続した後に、１つの無線フレームに多重して無線伝送路を介して１対１で対向局へ送出し、対向局で再度ＮチャネルのＰＤＨ信号列に分離し、任意の出力チャネルにクロスコネクト接続した後に出力する無線伝送装置であって、
前記無線伝送路にクロスコネクト制御に関わる制御信号の伝送帯域を予め確保することなく、設定変更が必要な場合のみ主信号伝送帯域を用いて制御信号を送受信することを特徴とする無線伝送装置。
【請求項３】
クロスコネクト制御に関わる制御信号の伝送帯域を、変更を伴う無線チャネルに該当する主信号伝送帯域のみを用いて送受信を行うことを特徴とする請求項２記載の無線伝送装置。
【請求項４】
クロスコネクト制御に関わる制御信号を無線伝送路で送受信している場合は、制御信号を送受信している無線チャネルに接続された外部出力信号をＡＩＳに制御することを特徴とする請求項２または３記載の無線伝送装置。
【請求項５】
対向するクロスコネクト装置間における伝送路の更新において、対向局のクロスコネクト制御が必要な場合、主信号路により制御情報を当該局に送付し、制御対象伝送路のＡＩＳ処理回路にＡＩＳ制御信号を出力することを特徴とする伝送制御方法。
【請求項６】
複数のＰＤＨ信号列を任意の無線チャネルにクロスコネクト接続した後に、１つの無線フレームに多重して無線伝送路を介して１対１で対向局へ送出し、対向局で再度ＮチャネルのＰＤＨ信号列に分離し、任意の出力チャネルにクロスコネクト接続した後に出力する無線伝送装置における伝送制御方法であって、
前記無線伝送路にクロスコネクト制御に関わる制御信号の伝送帯域を予め確保することなく、設定変更が必要な場合のみ主信号伝送帯域を用いて制御信号を送受信することを特徴とする伝送制御方法。
【請求項７】
クロスコネクト制御に関わる制御信号の伝送帯域を、変更を伴う無線チャネルに該当する主信号伝送帯域のみを用いて送受信を行うことを特徴とする請求項６記載の伝送制御方法。
【請求項８】
クロスコネクト制御に関わる制御信号を無線伝送路で送受信している場合は、制御信号を送受信している無線チャネルに接続された外部出力信号をＡＩＳに制御することを特徴とする請求項６または７記載の伝送制御方法。
【請求項９】
コンピュータシステムに請求項１から４のいずれか１項に記載の機能を実現させることを特徴とするプログラム。
【発明の詳細な説明】
【技術分野】
【０００１】
本発明は、Ｎチャネル（Ｎは２以上の自然数）のＰＤＨ（ｐｌｅｓｉｏｃｈｒｏｎｏｕｓ  Ｄｉｇｉｔａｌ  Ｈｉｅｒａｃｈｙ）信号列を任意の無線チャネルにクロスコネクト接続した後に、１つの無線フレームに多重して無線伝送路を介して１対１で対向局へ送出し、対向局で再度ＮチャネルのＰＤＨ信号列に分離し、任意の出力チャネルにクロスコネクト接続して出力する無線伝送技術に関する。
【背景技術】
【０００２】
ネットワークの大容量化に伴いＰＤＨ無線伝送装置に収容するチャネル数も増加傾向にある。また、収容チャネル数の増加と併せて回線変更時や回線増設時などの容易性が求められている。物理的なケーブル接続変更を伴わずに信号接続ルートを容易に変更可能となるクロスコネクト制御は、収容チャンネル数増加に伴うメンテナンス作業を軽減する施策として特に有効である。
【０００３】
大容量の伝送帯域を有するＳＤＨ伝送路網等では従来からクロスコネクト制御に関わる様々な技術が提案されており、例えば特許文献１では、ＳＤＨ信号のオーバヘッド領域を用いてクロスコネクト制御信号を伝送することで隣接する伝送装置間で相互にクロスコネクト制御を実現している。
【０００４】
ここで、遠隔制御データを、オーバーヘッド部に挿入せず、情報部に挿入し、中継装置に必須な機能であるルーティング機能を、主信号機能として装置に内蔵されているＳＷ機能を用いることで、各ノード装置でオーバーヘッド部の特定ビットの挿入および抽出する機能とルーティング機能を不要とし、さらに遠隔制御情報の通信時間を短くすることが可能となる技術が提案されている（例えば、特許文献２参照）。
【特許文献１】特開２００６−０８６５７２号公報
【特許文献２】特開２０００−１５１６００号公報
【発明の開示】
【発明が解決しようとする課題】
【０００５】
しかし、ＳＤＨ信号を収容する伝送装置を用いる場合には、収容する信号列の伝送容量に関わらず常にＳＤＨ信号で規定された伝送帯域を伝送路に確保する必要があるほか、回線制御に必要な制御信号の容量に関わらず、パス信号列に対して常に一定のパスオーバヘッド領域を確保する必要があり、帯域の使用効率が悪いという問題点があった。特に、無線伝送装置では限られた伝送帯域を効率よく使用することが求められており、上記問題は特に重要な要素となる。
【０００６】
本発明は、以上説明した問題点を解決するためになされたものである。その目的は、クロスコネクト設定の変更が必要な場合にのみ、主信号帯域を用いて制御信号を送受信することで、上記問題点を解決する無線伝送装置を提供することである。
【課題を解決するための手段】
【０００７】
上記課題を解決するために、本発明は、対向するクロスコネクト装置間における伝送路の更新において、対向局のクロスコネクト制御が必要な場合、主信号路により制御情報を当該局に送付し、制御対象伝送路のＡＩＳ処理回路にＡＩＳ制御信号を出力するクロスコネクト装置を提供する。
【０００８】
また、本発明は、複数のＰＤＨ信号列を任意の無線チャネルにクロスコネクト接続した後に、１つの無線フレームに多重して無線伝送路を介して１対１で対向局へ送出し、対向局で再度ＮチャネルのＰＤＨ信号列に分離し、任意の出力チャネルにクロスコネクト接続した後に出力する無線伝送装置であって、
前記無線伝送路にクロスコネクト制御に関わる制御信号の伝送帯域を予め確保することなく、設定変更が必要な場合のみ主信号伝送帯域を用いて制御信号を送受信する無線伝送装置を提供する。
【０００９】
また、本発明は、対向するクロスコネクト装置間における伝送路の更新において、対向局のクロスコネクト制御が必要な場合、主信号路により制御情報を当該局に送付し、制御対象伝送路のＡＩＳ処理回路にＡＩＳ制御信号を出力する伝送制御方法を提供する。
【００１０】
また、本発明は、複数のＰＤＨ信号列を任意の無線チャネルにクロスコネクト接続した後に、１つの無線フレームに多重して無線伝送路を介して１対１で対向局へ送出し、対向局で再度ＮチャネルのＰＤＨ信号列に分離し、任意の出力チャネルにクロスコネクト接続した後に出力する無線伝送装置における伝送制御方法であって、
前記無線伝送路にクロスコネクト制御に関わる制御信号の伝送帯域を予め確保することなく、設定変更が必要な場合のみ主信号伝送帯域を用いて制御信号を送受信する伝送制御方法を提供する。
【発明の効果】
【００１１】
本発明によれば、クロスコネクト設定に関わる制御信号を対向局に通知するための専用の伝送帯域を無線伝送路に予め確保することなく、無線伝送路を介して対向するＰＤＨ無線伝送装置間でクロスコネクト制御信号を通知できるようになる。
【発明を実施するための最良の形態】
【００１２】
以下、本発明の実施の形態について図面を参照して詳細に説明する。図１は、本発明の実施の形態におけるＰＤＨ無線伝送装置のブロック図である。図１に示す実施の形態はＮチャネルのＰＤＨ信号列をクロスコネクト接続した後に、１つの無線伝送路を介して１対１で対向局へ送出し、対向局で再度ＮチャネルのＰＤＨ信号列に分離出力するＰＤＨ無線伝送装置１ａ、１ｂが無線伝送路を介して対向しているものである。
【００１３】
無線伝送装置１ｂは無線伝送装置１ａと同一の構成をとり、無線伝送装置１ａを構成する３ａ〜９ａ、１１ａ〜１９ａ、４１ａ〜４６ａと各々対応する３ｂ〜９ｂ、１１ｂ〜１９ｂ、４１ｂ〜４６ｂからなる。
【００１４】
ここで図１のＰＤＨ無線伝送装置１ａの構成について詳細に説明する。
ＰＤＨ無線伝送装置１ａはクロスコネクト回路３ａ、制御信号処理回路４ａ−１〜Ｎ、及び無線送受信回路５ａから構成される。ユーザ設定信号１８ａはユーザからのクロスコネクト設定信号であり、クロスコネクト設定の変更を行う場合に、クロスコネクト接続対象とする無線チャネル番号、自局ＰＤＨ入出力チャネル番号、及び対向局ＰＤＨ入出力チャネル番号を無線チャネル毎に備えた制御信号処理回路４ａ−１〜Ｎに通知する。
【００１５】
制御信号処理回路４ａ−１〜Ｎは無線チャネル単位で回路を備えており、前記ユーザ設定信号１８ａから抽出したクロスコネクト設定信号、及び後述する無線抽出信号１４ａ−１〜Ｎから検出した対向局からのクロスコネクト設定信号に基づき、接続設定信号１７ａ−１〜Ｎを生成してクロスコネクト回路３ａに出力する。
【００１６】
制御信号処理回路４ａ−１は接続設定回路６ａ−１、信号切替回路７ａ−１、ＡＩＳ処理回路８ａ−１、及び接続要求検出回路９ａ−１から構成される。なお、制御信号処理回路４ａ−２〜Ｎは制御信号処理回路４ａ−１と同一の構成をとる。
【００１７】
接続設定回路６ａ−１はユーザ設定信号１８ａを受信して、クロスコネクト接続を実施する無線チャネル番号、自局ＰＤＨ入出力チャネル番号、及び対向局ＰＤＨ入出力チャネル番号を抽出する。接続設定回路６ａ−１が属する無線チャネル番号と、前記ユーザ設定信号１８ａから抽出した無線チャネル番号が一致する場合は、前記ユーザ設定信号１８ａから抽出した自局ＰＤＨ入出力チャネル番号と無線チャネル番号を接続する旨の接続設定信号１７ａ−１をクロスコネクト回路３ａに出力すると共に、信号切替回路７ａ−１に対してユーザ設定信号１８ａから抽出した対向局ＰＤＨ入出力チャネル番号を示す接続要求チャネル情報４１ａ−１と、前記接続要求チャネル情報４１ａ−１を無線伝送路に送出する信号として選択する旨を示す切替信号４３ａ−１を出力する。
【００１８】
また、後述する接続要求検出回路９ａ−１から対向要求接続信号４４ａ−１を受信した場合は、対向要求接続信号４４ａ−１に基づき自局ＰＤＨ入出力チャネル番号と無線チャネル番号を接続する旨の接続設定信号１７ａ−１をクロスコネクト回路３ａに出力すると共に、対向局からの切替要求に対して制御を実施した旨を示す応答情報４２ａ−１と、前記応答情報４２ａ−１を無線伝送路に送出する信号として選択する旨を示す切替信号４３ａ−１を信号切替回路７ａ−１に出力する。
【００１９】
信号切替回路７ａ−１は接続設定回路６ａ−１から受信した切替信号４３ａ−１に基づき、クロスコネクト回路３ａから受信した無線送信チャネル信号１２ａ−１、接続設定回路６ａ−１から受信した接続要求チャネル情報４１ａ−１、及び応答情報４２ａ−１からいずれか１つの信号を選択して無線多重信号１３ａ−１を生成し、無線送受信回路５ａに出力する。
【００２０】
ＡＩＳ処理回路８ａ−１は後述する接続要求検出回路９ａ−１からＡＩＳ制御信号４６ａ−１を受信している場合は、無線伝送路間で送受信するクロスコネクト制御信号をクロスコネクト回路３ａに不要に出力することを防止するため、無線受信チャネル信号１５ａ−１にＡＩＳ（Ａｌａｒｍ  Ｉｎｄｉｃａｔｉｏｎ  Ｓｉｇｎａｌ）信号を多重してクロスコネクト回路３ａに出力する。また、ＡＩＳ制御信号４６ａ−１を受信していない場合は、無線受信チャネル信号１５ａ−１に無線送受信回路５ａから受信した無線抽出信号１４ａ−１を接続してクロスコネクト回路３ａに出力する。
【００２１】
接続要求検出回路９ａ−１は無線送受信回路５ａから受信した無線抽出信号１４ａ−１を監視し、対向局からの自局クロスコネクト設定の変更要求を示す信号を検出した場合は、接続設定回路６ａ−１に対向要求接続信号４４ａ−１を出力すると共に、ＡＩＳ処理回路８ａ−１に対してＡＩＳ制御信号４６ａ−１を出力する。また、自局から対向局に送出した接続要求情報に対して対向局からクロスコネクト設定変更を実施した旨の応答情報を示す信号を検出した場合は、接続設定回路６ａ−１に対向応答情報信号４５ａ−１を出力すると共に、ＡＩＳ処理回路８ａ−１にＡＩＳ制御信号４６ａ−１を出力する。さらに、無線抽出信号１４ａ−１にＰＤＨ信号列が伝送されていることを検出した場合はＡＩＳ制御信号４６ａ−１の出力を停止する。
【００２２】
クロスコネクト回路３ａは前記制御信号処理回路４ａ−１〜Ｎから受信した接続設定信号１７ａ−１〜Ｎに従い、ＰＤＨ入力信号１１ａ−１〜Ｎを任意の無線送信チャネル信号１２ａ−１〜Ｎに、無線受信チャネル信号１５ａ−１〜Ｎを任意のＰＤＨ出力信号１６ａ−１〜Ｎに、それぞれチャネル単位で接続する。
【００２３】
なお、ＰＤＨ入力信号１１ａ−１〜Ｎ及びＰＤＨ出力信号１６ａ−１〜Ｎをチャネル毎に合わせてＰＤＨチャネル信号１９ａ−１〜Ｎと定義する。また、無線送信チャネル信号１２ａ−１〜Ｎ及び無線受信チャネル信号１５ａ−１〜Ｎをチャネル毎に合わせて無線チャネル信号２０ａ−１〜Ｎと定義する。
【００２４】
無線送受信回路５ａは前記制御信号処理回路４ａ−１〜Ｎから受信した無線多重信号１３ａ−１〜Ｎを１つの無線フレーム信号に多重した後、無線伝送路を介してＰＤＨ無線伝送装置１ｂに送出する。また、ＰＤＨ無線伝送装置１ｂから無線伝送路を介して受信した無線フレーム信号から無線抽出信号１４ａ−１〜Ｎを抽出して制御信号処理回路４ａ−１〜Ｎに出力する。
【００２５】
次に、本実施の形態における動作について、図１を参照して詳細に説明する。
図１に示すＰＤＨ無線伝送装置１ａに接続されたＰＤＨチャネル信号１９ａ−１〜Ｎと、無線伝送路を介して対向するＰＤＨ無線伝送装置１ｂに接続されたＰＤＨチャネル信号１９ｂ−１〜Ｎは、同一チャネル番号同士がそれぞれ１対１でクロスコネクト接続されているものとする。
【００２６】
ここで、ＰＤＨ無線伝送装置１ａのユーザ設定信号１８ａを介して、ＰＤＨ無線伝送装置１ａに接続されたＰＤＨチャネル信号１９ａ−２を無線チャネル信号２０ａ−１に、ＰＤＨ無線伝送装置１ｂの図示しない無線チャネル信号２０ｂ−１をＰＤＨチャネル信号１９ｂ−１に、それぞれクロスコネクト接続するように設定変更を行う場合の動作について、図１を用いて詳細に説明する。
【００２７】
このとき、ユーザ設定信号１８ａは無線チャネル番号としてチャネル番号１を、自局ＰＤＨチャネル番号としてチャネル番号２を、対向局ＰＤＨチャネル番号としてチャネル番号１を示す設定情報を制御信号処理回路４ａ−１〜Ｎに通知する。
【００２８】
ユーザ設定信号１８ａが指定した無線チャネル番号に属する制御信号処理回路４ａ−１は、前記ユーザ設定信号１８ａから自局ＰＤＨ入出力チャネル番号を抽出してＰＤＨチャネル信号１９ａ−２と無線チャネル信号２０ａ−１を接続する旨の接続設定信号１７ａ−１を生成し、クロスコネクト回路３ａに出力する。クロスコネクト回路３ａは前記接続設定信号１７ａ−１に基づきＰＤＨ入力信号１１ａ−２を無線送信チャネル信号１２ａ−１に、無線受信チャネル信号１５ａ−１をＰＤＨ出力信号１６ａ−２にそれぞれクロスコネクト接続処理を行う。
【００２９】
また、制御信号処理回路４ａ−１は前記ユーザ設定信号１８ａから抽出した対向局ＰＤＨチャネル番号を抽出して接続要求チャネル情報４１ａ−１を生成すると共に、前記接続要求チャネル情報４１ａ−１を無線多重信号１３ａ−１として選択する旨を示す切替信号４３ａ−１を生成し、信号切替回路７ａ−１に出力する。
【００３０】
信号切替回路７ａ−１は前記切替信号４３ａ−１に基づき接続要求チャネル情報４１ａ−１を選択して無線多重信号１３ａ−１を生成し、無線送受信回路５ａ、無線伝送路、ＰＤＨ無線伝送装置１ｂの図示しない無線送受信回路５ｂ、及び無線抽出信号１４ｂ−１を介して制御信号処理回路４ｂ−１に通知する。
【００３１】
図２は無線伝送装置１ｂの制御信号処理回路４ｂ−１を示している。
図２を参照すると、制御信号処理回路４ｂ−１の接続要求検出回路９ｂ−１は、無線抽出信号１４ｂ−１に無線伝送装置１ａで多重された接続要求チャネル情報４１ａ−１が多重されていることを検出すると、クロスコネクト回路３ｂに制御信号が出力されないようにＡＩＳ制御信号４６ｂ−１を生成してＡＩＳ処理回路８ｂ−１に出力するとともに、前記接続要求チャネル情報４１ａ−１に基づき無線チャネル信号２０ｂ−１とＰＤＨチャネル信号１９ｂ−１を接続する旨を示す対向要求接続信号４４ｂ−１を生成して接続設定回路６ｂ−１に出力する。
【００３２】
接続設定回路６ｂ−１は前記対向要求接続信号４４ｂ−１に基づき無線チャネル信号２０ｂ−１とＰＤＨチャネル信号１９ｂ−１を接続する旨を示す接続設定信号１７ｂ−１を生成し、クロスコネクト回路３ｂは前記接続設定信号１７ｂ−１を受けて接続変更を実施する。また、前記接続要求チャネル情報４１ａ−１に従ってクロスコネクト設定制御を実施した旨をＰＤＨ無線伝送装置１ａに通知するための応答情報４２ｂ−１を生成し、前記応答情報４２ｂ−１を選択する旨の切替信号４３ｂ−１と共に信号切替回路７ｂ−１に出力する。
【００３３】
信号切替回路７ｂ−１は、前記切替信号４３ｂ−１に従い前記応答情報４２ｂ−１を選択して無線多重信号１３ｂ−１を生成し、図１の図示しない無線送受信回路５ｂ、無線伝送路、ＰＤＨ無線伝送装置１ａの無線送受信回路５ａを介して制御信号処理回路４ａ−１に出力する。
【００３４】
制御信号処理回路４ａ−１の接続要求検出回路９ａ−１は、無線抽出信号１４ａ−１に前記応答情報４２ｂ−１が多重されていることを検出すると、クロスコネクト回路３ａに制御信号が出力されないようにＡＩＳ制御信号４６ａ−１を生成してＡＩＳ処理回路８ａ−１に出力するとともに、対向局が自局からの要求に基づきクロスコネクト接続を完了させたことを示す対向応答情報４５ａ−１を生成して接続設定回路６ａ−１に通知する。
【００３５】
接続設定回路６ａ−１は前記対向応答情報信号４５ａ−１を受信したことから、クロスコネクト設定変更がＰＤＨ無線伝送装置１ａ、１ｂ双方にて実施されたものと判定して、信号切替回路７ａ−１に対してクロスコネクト回路３ａからの無線送信チャネル信号１２ａ−１を選択する旨の切替信号４３ａ−１を出力し、信号切替回路７ａ−１は無線送信チャネル信号１２ａ−１を選択して無線多重信号１３ａ−１に出力する。
【００３６】
ＰＤＨ無線伝送装置１ｂの接続要求検出回路９ｂ−１は、無線抽出信号１４ｂ−１が通常のＰＤＨ主信号列に切り戻ったことを検出してＡＩＳ制御信号４６ｂ−１の出力を停止すると共に、接続設定回路６ｂ−１に出力していた対向要求接続信号４４ｂ−１の出力を停止する。
【００３７】
ＰＤＨ無線伝送装置１ｂの接続設定回路６ｂ−１は前記対向要求接続信号４４ｂ−１の受信が停止したことを検出すると、信号切替回路７ｂ−１に対してクロスコネクト回路３ｂからの無線送信チャネル信号１２ｂ−１を選択する旨の切替信号４３ｂ−１を出力し、信号切替回路７ｂ−１は無線送信チャネル信号１２ｂ−１を選択して無線多重信号１３ｂ−１に出力する。
【００３８】
ＰＤＨ無線伝送装置１ａの接続要求検出回路９ａ−１は、無線抽出信号１４ａ−１が通常のＰＤＨ主信号列に切り戻ったことを検出してＡＩＳ制御信号４６ａ−１の出力を停止すると共に、接続設定回路６ａ−１に出力していた対向応答情報信号４５ａ−１の出力を停止する。
【００３９】
以上により、ＰＤＨ無線伝送装置１ａのＰＤＨチャネル信号１９ａ−２は無線チャネル信号２０ａ−１を経由してＰＤＨ無線伝送装置１ｂのＰＤＨチャネル信号１９ｂ−１にクロスコネクト接続され、主信号の導通が完了する。
【００４０】
上記の本実施の形態によれば、クロスコネクト設定に関わる制御信号を対向局に通知するための専用の伝送帯域を無線伝送路に予め確保することなく、無線伝送路を介して対向するＰＤＨ無線伝送装置間でクロスコネクト制御信号を通知できる。その理由は、クロスコネクト設定が必要な場合にのみ、ＰＤＨ信号列を伝送する帯域を代用してクロスコネクト制御信号通知に用いるためである。
【００４１】
また、無線対向局間でのクロスコネクト設定不一致による誤った伝送ルートへの信号送出を防止できる。その理由は、自局及び対向局のクロスコネクト設定をいずれか一方の局からの設定で同時に実施できるためである。また、設定中は外部機器に対してＡＩＳ信号を送出し、対向局設定完了の通知を受信してから主信号に切り戻す為である。
【００４２】
なお、図１に示す実施の形態では、ＰＤＨ無線伝送装置１ａ、及び１ｂが収容するＰＤＨ信号列は共にＮチャネルであるが、図３に示すようにＰＤＨ無線伝送装置１ａが収容するチャネル数Ｎと、ＰＤＨ無線伝送装置１ｂが収容するチャネル数Ｍ（Ｍは２以上の自然数、かつＮ≠Ｍ）は互いに異なっても良い。
【００４３】
また、図１に示す実施の形態ではクロスコネクトに関わる設定として自局側の接続チャネル情報、接続する無線チャネル情報、対向側の接続チャネル情報を設定したが、ＰＤＨ伝送装置を識別するための識別ＩＤも併せて設定することで、図４に示すように複数の無線伝送装置を接続した場合にも適用することができる。
【００４４】
なお、上述する各実施の形態は、本発明の好適な実施の形態であり、本発明の要旨を逸脱しない範囲内において種々変更実施が可能である。例えば、ＰＤＨ無線伝送装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００４５】
【図１】本発明の実施の形態のＰＤＨ無線伝送装置のブロック図である。
【図２】本発明の実施の形態の無線伝送装置１ｂの制御信号処理回路を示す図である。
【図３】本発明の他の実施の形態の構成を示す図である。
【図４】本発明の他の実施の形態の構成を示す図である。
【符号の説明】
【００４６】
１    ＰＤＨ無線伝送装置
２    ＰＤＨ無線伝送装置
３    クロスコネクト回路
４    制御信号多重回路
５    無線送受信回路
６    接続設定回路
７    信号切替回路
８    ＡＩＳ処理回路
９    接続要求検出回路
１１−ｘ    ＰＤＨ入力信号
１２−ｘ    無線送信チャネル信号
１３−ｘ    無線多重信号
１４−ｘ    無線抽出信号
１５−ｘ    無線受信チャネル信号
１６−ｘ    ＰＤＨ出力信号
１７−ｘ    接続設定信号
１８    ユーザ設定信号
１９−ｘ    ＰＤＨチャネル信号
２０−ｘ    無線チャネル信号
４１    接続要求チャネル情報
４２    応答情報
４３    切替信号
４４    対向要求接続信号
４５    対向応答情報信号
４６    ＡＩＳ制御信号
【図１】
2008141494.tif 000003
【図２】
2008141494.tif 000004
【図３】
2008141494.tif 000005
【図４】
2008141494.tif 000006